(57)【要約】【課題】流通過程で折損することがなく、使用するときに一枚ずつ方向を決めてセンサーチップを振り出すことができ、吸湿や手に触れることが少なく、使用済のセンサーチップが混入する危惧がないセンサーチップ振出し容器を提供する。【解決手段】容器本体の開口側面に側板蓋が係着する外観長方体形状の容器であり、側板蓋の内面側に容器本体との係着部を設け、容器本体の内側を、垂直板の下端に水平板が前方方向へ連接し、側板蓋を係着したときに側板蓋の係着部とに間隙をもつ断面形状がＬ字状の隔壁板によって、前方側の乾燥剤収容室と、後方側のセンサーチップ集積室と、センサーチップ集積室の下端に連通し隔壁板の下方を通って容器本体の前方板の下端に設けられた振出し口に通じる振出し溝とに区画し、底板の先方下端に、ヒンジを介してレバーにより回動する振出し口開閉蓋を垂設し、前方板の下方に、振出し口開閉蓋を係着する係着板を突設する。【選択図】図１
2006193166.tif 000002
【特許請求の範囲】
【請求項１】
天板と前方板と後方板と側板と底板とからなり、前方板の下方に振出し口をもつ容器本体と、容器本体の開口側面に係着する側板蓋とからなる外観が長方体形状の容器であって、側板蓋の内面側に、容器本体との係着部を設け、容器本体の内側を、垂直板の下端に水平板が前方方向へ連接し、側板蓋を係着したときに側板蓋の係着部とに間隙をもつ断面形状がＬ字状の隔壁板によって、前方側の乾燥剤収容室と、後方側のセンサーチップ集積室と、センサーチップ集積室の下端に連通し隔壁板の下方を通って容器本体の前方板の下端に設けられた振出し口に通じるセンサーチップが通過可能な振出し溝とに区画し、底板の先方下端に、ヒンジを介してレバーにより上下に回動する振出し口開閉蓋を垂設し、前方板の下方に、振出し口開閉蓋を係着する係着板を突設したことを特徴とするセンサーチップ振出し容器。
【請求項２】
隔壁板の垂直板の下端の水平板が連接する外側角部に丸みを設けたことを特徴とする請求項１記載のセンサーチップ振出し容器。
【請求項３】
センサーチップ集積室の側板の後方に、天板内側からセンサーチップが通過可能な底板上方位置に達するガイド壁を設け、かつ、このガイド壁に対応するセンサーチップの位置に、ガイド壁と摺接する摺接切欠きを設けたことを特徴とする請求項１又は請求項２記載のセンサーチップ振出し容器。
【請求項４】
振出し口開閉蓋の振出し口対応位置に、パッキンを貼着したことを特徴とする請求項１乃至請求項３記載のセンサーチップ振出し容器。
【発明の詳細な説明】
【技術分野】
【０００１】
本発明は、医療関係の測定、検査、治療などに使用するセンサーチップ（平板状検査紙）を収納し、使用するときに、一枚ずつ振り出せるセンサーチップ振出し容器に関するものである。
【背景技術】
【０００２】
従来、医療用のセンサーチップを収納する包装容器としては、外気や雑菌などの侵入を防ぐ、気密性が良好な包装容器が使用されていた。例えば、フィルム包装材料を用いて密封製袋した柔軟なフィルムケースのものが使用されており、また、図５（ａ）に示す熱可塑性樹脂を射出成形した周壁（３１０）と底板（３２０）とからなる硬質なケース本体の開口部（３３０）に、図５（ｂ）に示す取手板（４１０）の下面に柔軟な栓部（４２０）をもつ蓋材（４００）を、栓部を挿嵌させて密封した硬質な筒状ケースなどが使用されていた。
【発明の開示】
【発明が解決しようとする課題】
【０００３】
しかしながら、上述した従来の密封製袋した柔軟なフィルムケースの場合には、ケース本体は簡単であるものの、ケースが柔軟であるために外部からの衝撃でセンサーチップに折損が生じたり、また、センサーチップが一枚ずつケース内に包装されているために、取り出すときにケースを一つ一つ開封する手間が掛かり、使い勝手が悪かった。
【０００４】
また、後述の硬質な筒状ケースの場合には、ケース本体が硬質であるため、外部からの衝撃によるセンサーチップの折損は生じないが、ケース本体からセンサーチップを取り出すときに、開口部が大きいため、外気の湿度の影響を受け易く、吸湿したセンサーチップは誤診の可能性があった。また、開口部からセンサーチップを手で取り出すときに、誤ってセンサーチップをばら蒔いてしまうことがあり、また、開口部を下方へ向けてセンサーチップを振り出すときに、開口部が大きいために一枚ずつ取り出すことが難しく、センサーチップが多く出過ぎたり、多く出たセンサーチップを容器内へ戻す手間が掛かったり、手に触れたセンサーチップは誤診の可能性があった。また、蓋材をケース本体の開口部に着脱を繰り返して使用するため、使用している間に蓋材の栓部とケース本体の開口部と密着性が低下して、ケース内の気密性が徐々に損なわれることがあった。
【０００５】
本発明は、上述の従来のセンサーチップを収納する包装容器における問題点を解決したものであり、流通過程で折損することがなく、使用するときに一枚ずつ方向を決めてセンサーチップを振り出すことができ、吸湿や手に触れることが少なく、また、使用済のセンサーチップが混入する危惧がないセンサーチップ振出し容器を提供するものである。
【課題を解決するための手段】
【０００６】
すなわち、本発明の第１の発明は、天板と前方板と後方板と側板と底板とからなり、前方板の下方に振出し口をもつ容器本体と、容器本体の開口側面に係着する側板蓋とからなる外観が長方体形状の容器であって、側板蓋の内面側に、容器本体との係着部を設け、容器本体の内側を、垂直板の下端に水平板が前方方向へ連接し、側板蓋を係着したときに側板蓋の係着部とに間隙をもつ断面形状がＬ字状の隔壁板によって、前方側の乾燥剤収容室と、後方側のセンサーチップ集積室と、センサーチップ集積室の下端に連通し隔壁板の下方を通って容器本体の前方板の下端に設けられた振出し口に通じるセンサーチップが通過可能な振出し溝とに区画し、底板の先方下端に、ヒンジを介してレバーにより上下に回動する振出し口開閉蓋を垂設し、前方板の下方に、振出し口開閉蓋を係着する係着板を突設
したことを特徴とするセンサーチップ振出し容器である。
【０００７】
次に、本発明の第２の発明は、隔壁板の垂直板の下端の水平板が連接する外側角部に丸みを設けたことを特徴とする第１の発明に記載のセンサーチップ振出し容器である。
【０００８】
次に、本発明の第３の発明は、センサーチップ集積室の側板の後方に、天板内側からセンサーチップが通過可能な底板上方位置に達するガイド壁を設け、かつ、このガイド壁に対応するセンサーチップの位置に、ガイド壁と摺接する摺接切欠きを設けたことを特徴とする第１又は第２の発明に記載のセンサーチップ振出し容器である。
【０００９】
そして、本発明の第４の発明は、振出し口開閉蓋の振出し口対応位置に、パッキンを貼着したことを特徴とする第１乃至第３の発明に記載のセンサーチップ振出し容器である。
【発明の効果】
【００１０】
本発明のセンサーチップ振出し容器は、従来の密封製袋した柔軟なフィルムケースとは異なり、センサーチップがプラスチック製の剛性をもつ外観が長方体形状の容器に収納されているため、流通過程における外部からの衝撃によってセンサーチップが折損することがない。
【００１１】
また、本発明のセンサーチップ振出し容器は、容器本体の天板蓋に直角に曲がる振出し孔が設けられており、使用するときに、振出し口開閉蓋をレバーにより下方へ回動させて前方板の下端部に設けられた振出し口を開口し、容器本体を前方へ傾斜させて振ると、センサーチップ集積室に集積されている最下端のセンサーチップが、振出し溝を通って振出し口から一枚ずつ振り出されて来る。振り出すときに、手がセンサーチップに触れることもない。
【００１２】
また、センサーチップ集積室の側板の後方に、天板内側からセンサーチップが通過可能な底板上方位置に達するガイド壁を設け、このガイド壁に対応するセンサーチップの位置に、ガイド壁と摺接する摺接切欠きを設けたセンサーチップを使用すると、センサーチップ集積室のガイド壁とセンサーチップの摺接切欠きによってセンサーチップの方向が規制されるため、振出し口から一枚ずつ方向性をもって振り出すことができる。
【００１３】
また、本発明のセンサーチップ振出し容器は、容器本体の前方側の乾燥剤収容室に乾燥剤が収容されており、隔壁板と側板蓋の係着部と間には隙間があるため、センサーチップ集積室に集積するセンサーチップは、乾燥剤収容室の乾燥剤の吸湿効果により乾燥環境下に収納されている。また、従来の硬質な筒状ケースの場合とは異なり、容器本体を傾斜させてセンサーチップを振り出すときに、容器本体の開口部は、前方板の下端に設けられた比較的に小さい振出し口のみであるため、容器本体のセンサーチップ集積室に収納されているセンサーチップが、使用中に外気の湿度の影響を受けることが少ない。
【００１４】
また、本発明のセンサーチップ振出し容器は、隔壁板の垂直板の下端の水平板が連接する外側角部に丸みを設けると、センサーチップの角が尖ったり、毛羽立っていても、センサーチップが引っ掛かることなく振出し口から振り出されて来る。
【００１５】
そして、本発明のセンサーチップ振出し容器は、一端振り出されたセンサーチップは、振出し口から容器内に挿入することは難しく、側板蓋を外さない限り容器内へ戻すことができない。このため、使用済のセンサーチップが混入する危惧が極めて少ない。
【発明を実施するための最良の形態】
【００１６】
次に、本発明のセンサーチップ振出し容器の実施形態について、図を用いて詳細に説明
する。
【００１７】
本実施形態のセンサーチップ振出し容器は、図１（ａ）に示す容器本体（１００）の左側開口側面に、図１（ｂ）に示す側板蓋（２００）が係着する外観が長方体形状の容器である。そして、容器本体及び側板蓋は、使用目的に合った特性をもつポリエチレン、ポリプロピレンなどの熱可塑性樹脂を用いて、射出成形法により作製されるものである。
【００１８】
本実施形態のセンサーチップ振出し容器の容器本体（１００）の構造は、図１（ａ）に示すように、天板（１１０）と前方板（１２０）と後方板（１３０）と右側の側板（１４０）と底板（１５０）により構成され、図１（ａ）及び図２（ａ）に示すように、前方板（１２０）の下方には、センサーチップの振出し口（１０４）が設けられているものである。容器本体（１００）の内側は、図１（ａ）及び図２（ｃ）に示すように、垂直板（１６１）の下端に水平板（１６２）が前方方向へ連接し、側板蓋を係着したときに側板蓋の係着部とに間隙をもつ断面形状がＬ字状の隔壁板（１６０）によって、前方側の乾燥剤収容室（１０１）と、後方側のセンサーチップ集積室（１０２）と、センサーチップ集積室の下端に連通し隔壁板（１６０）の水平板（１６２）の下方を通って容器本体の前方板の下端の振出し口（１０４）に通じるセンサーチップが通過可能な振出し溝（１０３）とに区画されるものである。底板（１５０）の先方下端には、図１（ａ）及び図２（ｂ）に示すように、ヒンジ（１８１）を介してレバー（１８２）により上下に回動する（矢印で示す）振出し口開閉蓋（１８０）を垂設するものであり、また、前方板（１２０）の下方で振出し口（１０４）上方に、図１（ａ）及び図２（ａ）に示すように、振出し口（１０４）を封止する振出し口開閉蓋（１８０）を係着する係着突起（１９１）を下面にもつ係着板（１９０）を突設するものである。そして、図１（ａ）に示すように、隔壁板（１６０）の垂直板（１６１）の下端の水平板（１６２）が連接する外側角部に丸みを設け、また、センサーチップ集積室（１０２）の側板（１４０）の後方に、図１及び図２（ｃ）に示すように、天板（１１０）内側からセンサーチップが通過可能な底板（１５０）上方位置に達する角柱状のガイド壁（１７０）を設け、また、振出し口開閉蓋（１８０）の振出し口対応位置に、図１及び図２（ａ）に示すように、振出し口を完全に封止するため、パッキン（１８３）を貼着するものである。
【００１９】
次に、側板蓋（２００）の構造は、図１及び図３に示すように、長方形状の側板蓋の内面側に、容器本体に係着する係着部（２１０）を突設するものである。なお、この係着部は、側板蓋を容器本体に係着したときに、容器本体の隔壁板との間に適度の間隙をもつように設けるものである。
【００２０】
次に、上述した本実施形態のセンサーチップ振出し容器に使用するセンサーチップ（１０）は、図１に示すガイド壁（１７０）に対応する位置に、図１（ｃ）に示すように、ガイド壁と摺接する摺接切欠き（１１）を設けるものである。
【００２１】
本実施形態のセンサーチップ振出し容器を使用するときには、センサーチップ集積室にセンサーチップを、センサーチップ集積室のガイド壁にセンサーチップの摺接切欠きを合わせて集積し、乾燥剤収容室に乾燥剤を収容し、容器本体の左側の開口側面に、側板蓋を係着し、底板に垂設する振出し口開閉蓋をレバーにより上方へ回動させて、振出し口を振出し口開閉蓋で封止すると同時に、振出し口開閉蓋を先方板に突設する係着板の係着突起により係着する。そして、容器内のセンサーチップを使用するときには、振出し口開閉蓋をレバーにより下方へ回動させて、振出し口を開口し、センサーチップ振出し容器を、振出し口を下方になるように傾斜させて振ると、センサーチップが振出し口から一枚ずつ方向性をもって振り出されて来る。
【図面の簡単な説明】
【００２２】
【図１】（ａ）は、本実施形態のセンサーチップ振出し容器の容器本体の左側面図であり、（ｂ）は、側板蓋の右側面図であり、（ｃ）は、センサーチップの平面図である。
【図２】（ａ）は、本実施形態のセンサーチップ振出し容器の容器本体の正面図であり、（ｂ）は、底面図で、（ｃ）は、図１のＡ−Ａ’線断面図である。
【図３】本実施形態のセンサーチップ振出し容器の側板蓋の平面図である。
【図４】本実施形態のセンサーチップ振出し容器に用いられるセンサーチップの右側面図である。
【図５】（ａ）は、従来の一例のセンサーチップ振出し容器の蓋材の正面図であり、（ｂ）は、容器本体の断面図である。
【符号の説明】
【００２３】
１０……センサーチップ
１１……摺接切欠き
１００，３００……容器本体
１０１……乾燥剤収容室
１０２……センサーチップ集積室
１０３……振出し溝
１０４……振出し口
１１０……天板
１２０……前方板
１３０……後方板
１４０……側板
１５０，３２０……底板
１６０……隔壁板
１７０……ガイド壁
１８０……振出し口開閉蓋
１８１……ヒンジ
１８２……レバー
１８３……パッキン
１９０……係着板
１９１……係着突起
２００……側板蓋
２１０……係着部
３１０……周壁
３３０……開口部
４００……蓋材  
４１０……取手板
４２０……栓部
【図１】
2006193166.tif 000003
【図２】
2006193166.tif 000004
【図３】
2006193166.tif 000005
【図４】
2006193166.tif 000006
【図５】
2006193166.tif 000007